(57)【特許請求の範囲】
【請求項１】
開口が設けられ内部に電線に接続される端子が収容されるハウジングと、前記電線が挿通され前記ハウジングの開口に組付けられて前記ハウジングを密封するマットシールと、前記電線が挿通され前記ハウジングの開口に係止部を介して組付けられて前記ハウジングからの前記マットシールの脱落を防止するマットシールホルダとを備えた防水コネクタであって、
前記ハウジングと前記マットシールホルダとのうちいずれか一方には、前記係止部の係止を強化させる係止強化部が設けられ、
前記係止部は、前記マットシールホルダが前記ハウジングに組付けられる方向に対向する面と前記マットシールホルダが前記ハウジングから離脱する方向に対向する面とを係合する係合部と被係合部とからなり、前記係止強化部は、前記ハウジングと前記マットシールホルダとのうち他方に当接して前記マットシールホルダを前記ハウジングから離脱する方向に付勢する付勢部であり、
前記付勢部は、前記ハウジングと前記マットシールホルダとの対向面である端面から前記ハウジングと前記マットシールホルダとのうち他方の端面に向けて突設された突起であることを特徴とする防水コネクタ。
【請求項２】
請求項１記載の防水コネクタであって、
前記突起は、圧縮変形により前記マットシールホルダを前記ハウジングから離脱する方向に付勢することを特徴とする防水コネクタ。
【発明の詳細な説明】
【技術分野】
【０００１】
本発明は、防水コネクタに関する。
【背景技術】
【０００２】
従来、防水コネクタとしては、開口が設けられ内部に電線に接続される端子が収容されるハウジングと、電線が挿通されハウジングの開口に組付けられてハウジングを密封するマットシールと、電線が挿通されハウジングの開口に係止部としての係止爪と係止穴とを介して組付けられてハウジングからのマットシールの脱落を防止するマットシールホルダとしてのターミナルホルダとを備えたものが知られている（例えば、特許文献１参照）。
【０００３】
この防水コネクタでは、ターミナルホルダに係止爪が設けられ、ハウジングに係止穴が設けられている。これらの係止爪と係止穴とが係止するまでターミナルホルダをハウジングに嵌挿することにより、マットシールがターミナルホルダの覆い板とハウジングの突起板及び支え板とに狭持されてハウジングを密封する。
【先行技術文献】
【特許文献】
【０００４】
【特許文献１】特開平９−７３９４８号公報
【発明の概要】
【発明が解決しようとする課題】
【０００５】
しかしながら、上記のような防水コネクタでは、係止爪と係止穴との間でガタつきが発生し、電線に加わる外力などによって係止が解除される恐れがあった。このため、ターミナルホルダがハウジングから外れてマットシールを確実にハウジングに保持することができない可能性があった。
【０００６】
そこで、この発明は、ハウジングに対するマットシールの保持を向上することができる防水コネクタの提供を目的としている。
【課題を解決するための手段】
【０００７】
請求項１記載の発明は、開口が設けられ内部に電線に接続される端子が収容されるハウジングと、前記電線が挿通され前記ハウジングの開口に組付けられて前記ハウジングを密封するマットシールと、前記電線が挿通され前記ハウジングの開口に係止部を介して組付けられて前記ハウジングからの前記マットシールの脱落を防止するマットシールホルダとを備えた防水コネクタであって、前記ハウジングと前記マットシールホルダとのうちいずれか一方には、前記係止部の係止を強化させる係止強化部が設けられ、前記係止部は、前記マットシールホルダが前記ハウジングに組付けられる方向に対向する面と前記マットシールホルダが前記ハウジングから離脱する方向に対向する面とを係合する係合部と被係合部とからなり、前記係止強化部は、前記ハウジングと前記マットシールホルダとのうち他方に当接して前記マットシールホルダを前記ハウジングから離脱する方向に付勢する付勢部であり、前記付勢部は、前記ハウジングと前記マットシールホルダとの対向面である端面から前記ハウジングと前記マットシールホルダとのうち他方の端面に向けて突設された突起であることを特徴とする。
【０００８】
この防水コネクタでは、ハウジングとマットシールホルダとのうちいずれか一方に係止部の係止を強化させる係止強化部が設けられているので、係止強化部によって係止部のガタつきが防止され、外力によって係止部の係止が解除されることを防止できる。
【０００９】
従って、このような防水コネクタでは、マットシールホルダがハウジングから離脱することを防止できるので、ハウジングに対するマットシールの保持を向上することができる。
【００１１】
この防水コネクタでは、係止強化部がハウジングとマットシールホルダとのうち他方に当接してマットシールホルダをハウジングから離脱する方向に付勢する付勢部であるので、付勢部がマットシールホルダを付勢することにより、係止部における係合部と被係合部との互いの面の係合が強化される。このため、係止部におけるガタつきの発生を防止でき、マットシールホルダを確実にハウジングに保持することができる。
【００１３】
この防水コネクタでは、付勢部がハウジングとマットシールホルダとの対向面に向けて突設された突起であるので、付勢部を設けるためにハウジング又はマットシールホルダが大きな設計変更を伴うことがなく、簡易な構造で係止部の係止を強化することができる。
請求項２記載の発明は、請求項１記載の防水コネクタであって、前記突起は、圧縮変形により前記マットシールホルダを前記ハウジングから離脱する方向に付勢することを特徴とする。
【発明の効果】
【００１４】
本発明によれば、ハウジングに対するマットシールの保持を向上することができる防水コネクタを提供することができるという効果を奏する。
【図面の簡単な説明】
【００１５】
【図１】本発明の実施の形態に係る防水コネクタの斜視図である。
【図２】本発明の実施の形態に係る防水コネクタのハウジングの斜視図である。
【図３】本発明の実施の形態に係る防水コネクタのマットシールの斜視図である。
【図４】本発明の実施の形態に係る防水コネクタのマットシールホルダの斜視図である。
【図５】（ａ）は本発明の実施の形態に係る防水コネクタの係合部の拡大図である。（ｂ）は本発明の実施の形態に係る防水コネクタの被係合部の拡大図である。
【図６】本発明の実施の形態に係る防水コネクタの係止補強部の拡大図である。
【図７】本発明の実施の形態に係る防水コネクタの係止補強部とハウジングとが当接したときの拡大図である。
【図８】本発明の実施の形態に係る防水コネクタの係止補強部とハウジングとが当接したときの係止部の拡大図である。
【図９】本発明の実施の形態に係る防水コネクタの上面図である。
【図１０】（ａ）は本発明の実施の形態に係る防水コネクタのハウジングにマットシールを組付けるときの斜視図である。（ｂ）は本発明の実施の形態に係る防水コネクタのハウジングにマットシールを組付けたときの斜視図である。（ｃ）は本発明の実施の形態に係る防水コネクタのハウジングにマットシールホルダを組付けるときの斜視図である。
【発明を実施するための形態】
【００１６】
図１〜図１０を用いて本発明の実施の形態に係る防水コネクタについて説明する。
【００１７】
本実施の形態に係る防水コネクタ１は、開口３が設けられ内部に電線（不図示）に接続される端子（不図示）が収容されるハウジング５と、電線が挿通されハウジング５の開口３に組付けられてハウジング５を密封するマットシール７と、電線が挿通されハウジング５の開口３に係止部９を介して組付けられてハウジング５からのマットシール７の脱落を防止するマットシールホルダ１１とを備えている。
【００１８】
そして、マットシールホルダ１１には、係止部９の係止を強化させる係止強化部１３が設けられている。
【００１９】
また、係止部９は、マットシールホルダ１１がハウジング５に組付けられる方向に対向する面１５とマットシールホルダ１１がハウジング５から離脱する方向に対向する面１７とを係合する係合部１９と被係合部２１とからなり、係止強化部１３は、ハウジング５に当接してマットシールホルダ１１をハウジング５から離脱する方向に付勢する付勢部２３である。
【００２０】
さらに、付勢部２３は、ハウジング５とマットシールホルダ１１との対向面に向けて突設された突起である。
【００２１】
図１〜図１０に示すように、ハウジング５は、筐体状に形成され、嵌合部２５と開口３と端子収容室２７とを備えている。嵌合部２５は、ハウジング５の一面側に開口され、相手ハウジング（不図示）が嵌合される。また、ハウジング５には、相手ハウジングとの嵌合に用いられるレバー２９が軸支部３１で回動可能に軸支される。この嵌合部２５と反対側の面には、開口３が設けられている。
【００２２】
開口３は、ハウジング５の他面側に開口され、端子がハウジング５の内部に収容される。この開口３からハウジング５の内部に収容された端子は、端子収容室２７に配置される。
【００２３】
端子収容室２７は、ハウジング５の幅方向に複数列設けられると共に、高さ方向に２段重なるように設けられている。この端子収容室２７には、端子が収容され、嵌合部２５から相手ハウジングを嵌合することにより、相手ハウジングに収容された相手端子（不図示）と端子とが接続される。このようなハウジング５の開口３には、マットシール７が挿入され、ハウジング５の内部が密封される。
【００２４】
マットシール７は、ゴムなどの弾性材料からなり、外周形状がハウジング５の開口３の内周形状と同様に形成されている。また、マットシール７には、端子に接続される電線が挿通されるシール孔３３がハウジング５の端子収容室２７と同数設けられている。このマットシール７の外周は、ハウジング５の開口３の内周よりも大きく設定されている。このため、マットシール７をハウジング５の開口３に挿入すると、外周が開口３の内周に密着され、ハウジング５の開口３が密封されてシールされる。このようなマットシール７は、マットシールホルダ１１によってハウジング５からの脱落が防止される。
【００２５】
マットシールホルダ１１は、ハウジング５の開口３を閉塞するように組付けられる。また、マットシールホルダ１１には、マットシール７のシール孔３３に挿通される電線が挿通される挿通孔３５がハウジング５の端子収容室２７及びシール孔３３と同数設けられている。このマットシールホルダ１１は、係止部９を介してハウジング５に固定される。
【００２６】
係止部９は、ハウジング５及びマットシールホルダ１１の幅方向の両側にそれぞれ設けられ、係合部１９と被係合部２１とからなる。係合部１９は、マットシールホルダ１１の幅方向の両側に幅方向に撓み可能に設けられている。また、係合部１９は、マットシールホルダ１１がハウジング５に組付けられる方向に対向する面１５が係合面となっている。この係合部１９は、被係合部２１に係合する。
【００２７】
被係合部２１は、ハウジング５の幅方向の両側に凹状に設けられている。また、被係合部２１は、凹部内のマットシールホルダ１１がハウジング５から離脱する方向に対向する面１７が係合面となっている。この被係合部２１は、面１７が係合部１９の面１５と係合することによって、マットシールホルダ１１がハウジング５から離脱することを防止する。
【００２８】
このような係止部９は、マットシールホルダ１１をハウジング５に組付けることにより、係合部１９が撓んで被係合部２１を乗り越え、係合部１９が被係合部２１に位置したときに係合部１９が初期位置に復帰して被係合部２１に係合される。このとき、係合部１９の面１５と被係合部２１の面１７とが係合し、マットシールホルダ１１のハウジング５から離脱する方向への移動が規制される。この係止部９における係合部１９と被係合部２１との係合、すなわち互いの係合面である面１５，１７の係合は、係止強化部１３によって強化される。
【００２９】
係止強化部１３は、マットシールホルダ１１のハウジング５と対向する対向面に設けられている。この係止強化部１３は、ハウジング５に当接してマットシールホルダ１１をハウジング５から離脱する方向に付勢する付勢部２３となっている。詳細には、付勢部２３は、マットシールホルダ１１の端面からハウジング５側に向けて突設された突起となっている。また、突起の突出長さは、マットシールホルダ１１をハウジング５に組付けるときに、係止部９における係合部１９と被係合部２１との面１５，１７が係合可能な長さとなっている。この付勢部２３は、マットシールホルダ１１の幅方向に複数（ここでは８つ）設けられている。
【００３０】
このような付勢部２３は、マットシールホルダ１１をハウジング５に組付けた状態で、ハウジング５の端面に当接する。この当接により、マットシールホルダ１１には、図７の矢印で示すようなハウジング５から離脱する方向に付勢力が付与される。このため、係止部９では、図８の矢印で示すように、係合部１９が離脱方向に移動することになり、係合部１９と被係合部２１との面１５，１７がより強く係合され、係止部９でのガタつきが防止される。
【００３１】
このように係止強化部１３によって係止部９の係止が強化された防水コネクタ１では、例えば、図９に示すように、マットシールホルダ１１から引き出されて束ねられた電線束であるハーネス３７に矢印で示すような外力が加わったとしても、係止部９のガタつきが防止されているので、マットシールホルダ１１がハウジング５から離脱することがない。なお、この防水コネクタ１では、マットシールホルダ１１にマットシールホルダ１１から引き出された電線を保護するカバー３９が組付けられている。このように係止強化部１３によって係止部９のガタつきを防止することにより、マットシールホルダ１１のハウジング５に対する保持力を強化でき、外力に対する対抗力を増加させることができる。
【００３２】
このように構成された防水コネクタ１の組付けは、まず、ハウジング５の開口３からマットシール７を圧縮するように挿入し、ハウジング５の開口３の内周とマットシール７の外周とを密着させ、ハウジング５の開口３にマットシール７を配置させる。そして、ハウジング５の開口３を閉塞し、マットシール７をハウジング５とで狭持するように係止部９を介してマットシールホルダ１１をハウジング５に組付け、防水コネクタ１の組付けを完了する。
【００３３】
このような防水コネクタ１では、マットシールホルダ１１に係止部９の係止を強化させる係止強化部１３が設けられているので、係止強化部１３によって係止部９のガタつきが防止され、外力によって係止部９の係止が解除されることを防止できる。
【００３４】
従って、このような防水コネクタ１では、マットシールホルダ１１がハウジング５から離脱することを防止できるので、ハウジング５に対するマットシール７の保持を向上することができる。
【００３５】
また、係止強化部１３は、ハウジング５に当接してマットシールホルダ１１をハウジング５から離脱する方向に付勢する付勢部２３であるので、付勢部２３がマットシールホルダ１１を付勢することにより、係止部９における係合部１９と被係合部２１との互いの面１５，１７の係合が強化される。このため、係止部９におけるガタつきの発生を防止でき、マットシールホルダ１１を確実にハウジング５に保持することができる。
【００３６】
さらに、付勢部２３は、ハウジング５とマットシールホルダ１１との対向面に向けて突設された突起であるので、付勢部２３を設けるためにマットシールホルダ１１が大きな設計変更を伴うことがなく、簡易な構造で係止部９の係止を強化することができる。
【００３７】
なお、本発明の実施の形態に係る防水コネクタでは、係止強化部がマットシールホルダに設けられているが、係止強化部をハウジングに設けてもよい。
【００３８】
また、係止強化部は、係止部の係合面の係合を強化させる付勢部となっているが、例えば、係合部を撓みを強化するために係合部をハウジングの内方に撓ませる補助部を係合部の外方に設ける、係止部を凸部と凹部の嵌合による構造とし、凸部を凹部より僅かに大きく形成させて凸部を凹部に圧入させるなど、係止部強化部は係止部の係止構造に合わせた構造であればよい。
【００３９】
さらに、付勢部は、ハウジングとマットシールホルダとの対向面に向けて突出する突起となっているが、例えば、バネなどの弾性部材によるマットシールホルダの付勢であってもよい。
【符号の説明】
【００４０】
１…防水コネクタ
３…開口
５…ハウジング
７…マットシール
９…係止部
１１…マットシールホルダ
１３…係止強化部
１５，１７…面
１９…係合部
２１…被係合部
２３…付勢部
【図１】
0005767909.tif 000002
【図２】
0005767909.tif 000003
【図３】
0005767909.tif 000004
【図４】
0005767909.tif 000005
【図５】
0005767909.tif 000006
【図６】
0005767909.tif 000007
【図７】
0005767909.tif 000008
【図８】
0005767909.tif 000009
【図９】
0005767909.tif 000010
【図１０】
0005767909.tif 000011